(57)【要約】  内蔵する電動送風機（２１）により吸引風を発生させる本体（１）と、本体（１）の上部に着脱自在に設けられ、電動送風機（２１）を駆動することにより吸引される吸引風から塵埃を分離して集塵する集塵器（８）とを備える電気掃除機（１００）において、集塵器（８）は複数の組立体（９、１０、１１）からなり、複数の組立体（９、１０、１１）を係止する複数の係止手段（４０、４１）が設けられている。この集塵器（８）は、集塵器（８）に設けられた複数の係止手段（４０、４１）のうち所定の係止手段（４０）を解除するように操作すると、その操作に連動して他の係止手段（４１）も解除されるように構成されている。
2012157348.tif 000002
【特許請求の範囲】
【請求項１】
内蔵する電動送風機により吸引風を発生させる本体と、
前記本体の上部に着脱自在に設けられ、前記電動送風機を駆動することにより吸引される吸引風から塵埃を分離して集塵する集塵器と、を備え、
前記集塵器は複数の組立体からなり、前記複数の組立体を係止する複数の係止手段が設けられていて、前記集塵器に設けられた前記複数の係止手段のうち所定の係止手段を、係止が解除されるように操作すると、その操作に連動して他の係止手段の係止も解除されることを特徴とする電気掃除機。
【請求項２】
前記集塵器の前記所定の係止手段は、前記集塵器が前記本体に取付けられた状態の時には集塵器取付け面側の凹部に収容され操作できないことを特徴とする請求項１に記載の電気掃除機。
【請求項３】
前記集塵器に設けられた前記他の係止手段を操作し解除しても、前記所定の係止手段はその操作に連動せず解除されないことを特徴とする請求項１又は２に記載の電気掃除機。
【請求項４】
前記集塵器に設けられた前記他の係止手段は、前記集塵器内部の直接操作できない位置に配置されていることを特徴とする請求項１乃至請求項３の何れかに記載の電気掃除機。
【請求項５】
前記集塵器はハンドルを備え、
前記集塵器が前記本体に取付けられた状態の時には、前記ハンドルは前記本体移動用のハンドルと兼用されることを特徴とする請求項１乃至請求項４の何れかに記載の電気掃除機。
【請求項６】
前記集塵器に設けられた前記所定の係止手段は、前記本体への取付け面側に設けられ、
前記他の係止手段は前記ハンドル取付け側に設けられていることを特徴とする請求項５に記載の電気掃除機。
【請求項７】
前記集塵器の前記他の係止手段は、前記ハンドル内部に配設されていることを特徴とする請求項５又は請求項６に記載の電気掃除機。
【請求項８】
前記集塵器の複数の組立体は、風路部組立体と旋回部組立体と集塵部組立体と、からなり、
前記風路部組立体は、風路部内側部品と風路部外側部品とで構成されていることを特徴とする請求項１乃至６の何れかに記載の電気掃除機。
【請求項９】
内蔵する電動送風機により吸引風を発生させる本体と、
前記本体の上部に着脱自在に設けられ、前記電動送風機を駆動することにより吸引される吸引風から塵埃を分離して集塵する集塵器と、を備え、
前記集塵器は少なくとも風路部組立体と、旋回部組立体と、本体移動と兼用のハンドルと、を備え、
前記風路部組立体と前記旋回部組立体とは第１の係止手段と第２の係止手段で係止され、前記第１の係止手段を、係止が解除されるように操作すると、その操作に連動して第２の係止手段の係止も解除されることを特徴とする電気掃除機。
【発明の詳細な説明】
【技術分野】
【０００１】
本発明は電気掃除機、詳しくは分解、組立可能な集塵器を備えた電気掃除機に関するものである。
【背景技術】
【０００２】
従来、分解、組立可能な集塵器を備えた電気掃除機として、蓋組立体とダストカップとで構成された集塵器を備えたものがある。その集塵器はクランプ構造による係止手段を１つ備えていて、蓋組立体とダストカップが分解可能に係止されている（例えば、特許文献１参照）。
【先行技術文献】
【特許文献】
【０００３】
日本特開２００６−１６７１８６号公報（第５頁、図５、図８）
【発明の概要】
【発明が解決しようとする課題】
【０００４】
前述した従来の電気掃除機は、クランプ構造の係止手段を１つ解除することで集塵器が分解できる状態となる。しかし、このような従来の電気掃除機は、係止手段が１つということから、分解方向へ不用意な外的要因の衝撃力が加わると、１つの係止手段にその力が集中してしまう。その結果、電気掃除機の集塵器が破損する場合があり安全性、耐久性に課題があった。
そこで、衝撃力を分散し破損に対処するため、クランプ構造の係止手段を複数設けることが考えられる。しかし、単純にクランプ構造の係止手段を複数設けると、解除に手間が掛かるので分解の作業性、利便性が低下するという課題があった。
【課題を解決するための手段】
【０００５】
本発明に係る電気掃除機は、内蔵する電動送風機により吸引風を発生させる本体と、本体の上部に着脱自在に設けられ、電動送風機を駆動することにより吸引される吸引風から塵埃を分離して集塵する集塵器とを備え、集塵器は複数の組立体と、複数の組立体を係止する複数の係止手段とを備え、集塵器に設けられた複数の係止手段のうち所定の係止手段を、係止が解除されるように操作すると、その操作に連動して他の係止手段の係止も解除されるものである。
【発明の効果】
【０００６】
本発明によれば、集塵器に複数の係止手段を設けたので集塵器の安全性、耐久性が向上される。また、所定の係止手段を操作すると、その操作に連動して他の係止手段も解除されるようにしたので集塵器の取り外しの分解が容易となり作業性が向上する。
【図面の簡単な説明】
【０００７】
【図１】本発明の実施の形態に係る電気掃除機全体の斜視図である。
【図２】本発明の実施の形態に係る電気掃除機本体を右方向から見た側面図である。
【図３】本発明の実施の形態に係る電気掃除機本体を左方向から見た側面図である。
【図４】本発明の実施の形態に係る電気掃除機本体をハンドル中心近傍前後方向でカットし右方向から見た断面図である。
【図５】（ａ）本発明の実施の形態に係る電気掃除機の集塵器をハンドル側からみた上面図、（ｂ）本発明の実施の形態に係る電気掃除機の集塵器を右方向から見た側面図である。
【図６】（ａ）図５（ａ）に示す集塵器の分解図、（ｂ）図５（ｂ）に示す集塵器の分解図である。
【図７】図６（ａ）に示す集塵器の風路部組立体をＣ−Ｃ断面でカットし右方向から見たＣ−Ｃ断面図である。
【図８】図５（ｂ）に示す集塵器をＢ−Ｂ断面でカットし左（上面）方向から見たＢ−Ｂ断面図である。
【図９】図５（ａ）に示す集塵器のＡ−Ａ断面でカットし右方向から見たＡ−Ａ断面図である。
【図１０】図９に示す集塵器のＡ−Ａ断面図で、係止手段を解除した際の状態図である。
【発明を実施するための形態】
【０００８】
図１は本発明の実施の形態に係る電気掃除機全体の斜視図、図２は本発明の実施の形態に係る電気掃除機本体を右方向から見た側面図、図３は本発明の実施の形態に係る電気掃除機本体を左方向から見た側面図、図４は本発明の実施の形態に係る電気掃除機本体をハンドル中心近傍前後方向でカットし右方向から見た断面図である。
なお、それぞれの図において、同じ部分または相当する部分には同じ符号を付し、一部の説明を省略する。
以下、図１〜図４により本発明の実施の形態の電気掃除機の構成について説明する。
【０００９】
図１に示すように、１００は本発明の実施の形態の電気掃除機であり、本体１とホース体６と後述する集塵器８とにより構成されている。本体１は図１〜図３に示すように、樹脂成形で形成された上ケース２と下ケース３とホース体接続部４及び吸気管５と排気管１８により構成されている。
【００１０】
ホース体６は図１に示すように挿入部６ａと、例えば蛇腹のような可撓性を有する軟質管部６ｂと、電気掃除機１００を操作するための入力を行う操作部６ｄを備える把持部６ｃと、伸縮構造を有する硬質管部６ｅと、塵埃を吸引するための吸込具６ｆと、により構成されている。
【００１１】
本体１において、ホース体接続部４にはホース体接続口７が設けられており、図１に示すようにホース体６の一端部に設けられた挿入部６ａを着脱自在に接続できるようになっている。
【００１２】
図２、図３に示すように本体１を構成する上ケース２は、前側から後側に向かって上方に傾斜しており、その傾斜に沿って本体側面の一方に吸気管５、他方に排気管１８を有している。
【００１３】
吸気管５は、一端をホース体接続部４と流入口１３で接続され、ホース体接続部４と吸気管５の空気経路が連通するようになっている。また、上ケース２は、空気吸引部１７を有している。空気吸引部１７は、後述する集塵器８に設けられた空気排出部１６に、着脱自在に接続される。
【００１４】
本体１内には図４に示すように、電動送風機２１が、電動送風機収納室２０に収納され、配設されている。電動送風機２１は、塵埃を吸引するための負圧による吸引風を発生させる。さらに、本体１内には操作部６ｄからの入力により電動送風機２１の駆動等を制御する制御基板２２等が納められている。
【００１５】
集塵器８は、上ケース２の吸気管５と排気管１８とに挟まれた箇所に、吸気管５と排気管１８と同様に傾斜に沿って着脱自在に取り付けられている。集塵器８は図１に示すように、吸気管５側に突出した吸引口１５を有している。集塵器８は、吸引口１５において、吸気管５の他端側に設けられた流出口１４と着脱自在に接続され、吸気管５と集塵器８の空気経路が連通するようになっている。
【００１６】
また、集塵器８は前述したように空気排出部１６を有しており、上ケース２に設けられた空気吸引部１７と接続され、集塵器８と本体１の空気経路が連通するようになっている。この空気経路の下流には前述の電動送風機収納室２０及び電動送風機２１が備えられている。電動送風機２１が駆動されて発生した負圧で生じた吸引風は、電動送風機２１から排出され、本体１内の風路（図示せず）を通過して最終的に排気管１８を通り排気管１８に設けられた排気口１９から本体１外へ排気される。
【００１７】
次に図５〜図７により本発明の実施の形態の電気掃除機の集塵器の構成について説明する。
図５（ａ）は本発明の実施の形態に係る電気掃除機の集塵器をハンドル側からみた上面図、図５（ｂ）は本発明の実施の形態に係る電気掃除機の集塵器を右方向から見た側面図、図６（ａ）及び図６（ｂ）は集塵器の分解図であり、図６（ａ）は図５（ａ）と、図６（ｂ）は図５（ｂ）と同じ方向から見た図である。図７は図６（ａ）に示す集塵器の風路部組立体をＣ−Ｃ断面でカットし右方向から見たＣ−Ｃ断面図である。
なお、それぞれの図において、同じ部分または相当する部分には同じ符号を付し、一部の説明を省略する。
【００１８】
集塵器８にはレバー２９と本体係止手段３０が設けられている。本体係止手段３０は、本体係止手段軸３０ａで回動自在に軸止されている。レバー２９を操作すると、本体係止手段３０が係止解除方向へ回動し、本体１との係止状態が解除され本体１から分離可能となる。
【００１９】
また、集塵器８は風路部組立体９と旋回部組立体１０と集塵部組立体１１との組立体で構成されている。図６（ａ）、（ｂ）に示すように風路部組立体９と旋回部組立体１０と集塵部組立体１１とはそれぞれ分割可能に構成されている。
【００２０】
風路部組立体９は、後述する旋回部組立体１０の第１旋回室３１と第２旋回室３６との風の流れを連結する風路で、図７に示すように、本体１と接続される空気排出部１６周辺は、風路部外側部品２７と風路部内側部品２８とにより構成され、超音波溶着または接着などで接合されている。風路部外側部品２７と風路部内側部品２８は一体成形することも可能であり、一体成形でも基本的な性能は確保される。だが、より風の流れを滑らかにするには、一体成形にした場合は構造上の制約から曲がり部２８ａの角部をＲ形状にすることができないため、曲がり部２８ａの角部をＲ形状にできる別部品で構成することが望ましい。
また、別部品で構成することで第１旋回室３１と第２旋回室３６との風の流れを連結する風路部分が２重構造となり、風の流れる音が集塵器８へ漏れることを低減するようになっている、換言すると騒音を低減するようになっている。
【００２１】
さらに風路部組立体９に前述の本体１と集塵器８との係止状態を解除するレバー２９と本体係止手段３０とが設けられている。集塵器８が本体１に係止されている時は、このレバー２９を操作すると、本体係止手段３０が本体係止手段回動軸３０ａを中心として係止解除方向へ回動し、本体１と集塵器８とが分離可能となる。
【００２２】
旋回部組立体１０は第１旋回室３１、第２旋回室３６を備えていて、第１旋回室３１内にはメッシュ部材２４が挿入されている。旋回部組立体１０と風路部組立体９との係合箇所にはパッキン２５が、旋回部組立体１０と、後述する集塵部組立体１１との係合箇所にはパッキン２６がそれぞれ取付けられている。これにより集塵器８として係止されたときに風及び塵埃が漏れないようになっている。
【００２３】
それから旋回部組立体１０には、旋回部組立体１０と風路部組立体９とを係止状態にする第１の係止手段４０と第２の係止手段４１を備えている。
なお、第１の係止手段４０と第２の係止手段４１とによる、旋回部組立体１０と風路部組立体９との係止状態解除に関する動作については、後で詳述する。
【００２４】
さらに旋回部組立体１０にはハンドル１２が設けられている。このハンドル１２は集塵器８を移動する時に使用されるが、集塵器８の本体１への取付け面側と反対側に設けられていて、集塵器８が本体１に取付けられている場合には本体移動用のハンドルとしても使用される兼用のハンドルとなっている。
【００２５】
集塵部組立体１１は、吸引された塵埃を含む空気から分離された塵埃を収容するための集塵室と、後述する第１集塵室ａ３３と第１集塵室ｂ３４と第２集塵室３７と、を備えている。
また、集塵部組立体１１には集塵部組立体取っ手２３が設けられていて、集塵部組立体１１を分割した状態で、集塵部組立体１１に収容されている塵埃を廃棄する時に使用される。
【００２６】
サイクロン集塵器は紙パック等の集塵方式と異なり、吸引した塵埃が集塵器内に直接触れるので洗浄等により清潔にしたいという使用者の要望が多くある。大きな組立体のままでは清掃性も作業性も悪くなってしまうが、このように集塵器８を分割可能に構成することで個別にお手入れが可能となり、それぞれ水で洗浄したりすることができるので清潔に部品を保つことが容易となっている。
【００２７】
次に図１、図４、図８により掃除機１００と集塵器８内部の風の流れと空気と塵埃の分離及び塵埃の収容について説明する。
図８はす集塵器８を図５（ｂ）に示Ｂ−Ｂ断面でカットし左（上面）方向から見たＢ−Ｂ断面図である。図１、図４については前述したのでここでの説明は省略する。
【００２８】
図４に示す電動送風機２１を駆動させると、吸引風が発生しその負圧により塵埃を含んだ空気が吸引される。図１に示す吸込具６ｆから吸引された塵埃を含んだ空気はホース体６を通り、ホース体接続部４から流入口１３で連結された吸気管５を経由し、吸気管５の流出口１４から集塵器８の吸引口１５へ流れる。
【００２９】
集塵器８はサイクロン式の集塵器である。図８に示すように、集塵器８は、旋回部組立体１０に設けられた吸引口１５から吸引した塵埃を含んだ空気を、第１旋回室３１で旋回させる。旋回させることから得られる遠心力により、塵埃を含んだ空気は、大きい塵と小さい塵と、さらに細かい塵を含んだ空気とに分離される。
【００３０】
サイクロン式の集塵器は遠心力により塵埃と空気とを分離するが、大きな塵は遠心力がより働くため壁面方向へ押し付けられる。よって分離された大きな塵は第１旋回室３１の壁面に設けられた第１旋回室開口３２を通り、集塵部組立体１１に設けられた第１集塵室ａ３３に送られ収容される。
【００３１】
第１集塵室ａ３３に送られなかった小さい塵は、第１旋回室３１の円錐状の部分で勢いを増した空気から分離され、第１集塵室ｂ３４へ送られ収容される。小さい塵が分離され、第１旋回室３１の円錐状の部分で勢いを増した空気は、さらに細かい塵を伴って、メッシュ部材２４を通り、風路部組立体９の連結風路３５を通って第２旋回室３６へ送られる。メッシュ部材２４には直径約２ｍｍの孔が複数開いていて、細かい塵以外に含まれている第１集塵室ｂ３４に収容されなかった小さい塵埃が、第２旋回室３６に送られないようになっている。
【００３２】
さらに第２旋回室３６で旋回させることで細かい塵も空気から分離され、細かい塵は第２集塵室３７に収容される。塵埃が分離された空気は空気排出部１６を通り、空気吸引部１７から本体１に送られ、電動送風機２１を経由して制御基板２２等を冷却した後、本体１内の風路（図示せず）を通り排気管１８（図３参照）へ送られ、排気管１８に設けられた排気口１９（図３参照）から本体１外へ排出されるようになっている。
【００３３】
次に図９、図１０により集塵器８の組立、分割における係止手段の動作について説明する。
図９は図５（ａ）に示す集塵器のＡ−Ａ断面でカットし右方向から見たＡ−Ａ断面図、図１０は図９に示す集塵器のＡ−Ａ断面図で、係止手段を解除した際の状態図である。
【００３４】
風路部組立体９と旋回部組立体１０とは、図９に示すように第１の係止手段４０の掛かり部４３が風路部組立体９の縁部５５に、第２の係止手段４１の掛かり部４８が縁部５６に、それぞれ掛かることによって係止されている。風路部組立体９と旋回部組立体１０との係止箇所全周には、図６に示すようにパッキン２５が設けられていて密閉されて係止されている。
【００３５】
前述のように風路部組立体９には本体１と集塵器８を係止する本体係止手段３０が設けられていて、旋回部組立体１０には本体移動用のハンドルとしても使用されるハンドル１２が設けられていること。従って、本体移動時の安全を確保する必要があり、風路部組立体９と旋回部組立体１０とは、係止状態においては強度を確保した上で、確実に係止されている必要がある。この点、風路部組立体９と旋回部組立体１０とは、複数の係止手段によって、必要な強度が確保された状態で確実に係止される。
【００３６】
第１の係止手段４０は回動軸４４で回動自在に軸止されている。また、第１の係止手段４０には、指等で操作可能な操作部４２が設けられていて、第１係止手段４０の操作部４２の反対側には作用部４５が設けられている。作用部４５は連結部材４６と当接している。連結部材４６は付勢手段４７により作用部４５と当接する方向へ付勢されており、その付勢力により第１の係止手段４０の掛かり部４３が風路部組立体９の縁部５５へ掛かる方向への力が働いている。
【００３７】
第２の係止手段４１は連結部材４６と連結されていて、付勢手段４９により第２の係止手段４１の掛かり部４８が風路部組立体９の縁部５６へ掛かる方向へ付勢されている。このように風路部組立体９と旋回部組立体１０は係止されている。
【００３８】
前述の係止状態から操作部４２を付勢手段４７の付勢力に抗して時計回りの方向へ操作すると、図１０に示すように回動軸４４を中心に第１の係止手段４０が回動する。その結果、第１の係止手段４０の掛かり部４３が、係止が解除される方向へ移動すると同時に、作用部４５が連結部材４６をＸの方向へ移動させる。
【００３９】
連結部材４６がＸ方向へ移動すると、連結している第２の係止手段４１も、付勢手段４９の付勢力に抗して連結部材４６と同様の方向へ連動して移動する。その結果、第２の係止手段４１の掛かり部４８は、係止が解除される方向へ移動することとなる。よって第１の係止手段４０を係止解除操作することにより、機械的に連動して第２の係止手段４１も係止解除が解除されるようになっている。
このように、複数の係止手段を設けても１つの係止手段を解除操作することで複数の係止手段の係止状態が解除できるので、安全性、確実性の確保と操作の簡便性が両立される。
【００４０】
なお、第１の係止手段４０を操作すると第２の係止手段４１も連動して解除されるようになっているが、第２の係止手段４１を操作しても第１の係止手段４０が連動して係止状態が解除されるようにはなっていない。
【００４１】
これは、第２の係止手段４１はハンドル側に設けられており図４に示すように集塵器８が本体１に取付けられた状態で操作可能な位置にあるためである。本体１を移動中に不用意に第２の係止手段４１を操作してしまっても、第１の係止手段４０は係止解除されないので、集塵器８が分解され本体１が落下するような事態に至ることがなく、安全が確保されている。
【００４２】
第２の係止手段４１は操作可能としたが図９、図１０に示すように、より安全性を考慮すると、ハンドルカバー６０を設けてハンドル１２内に収納することで直接的な解除操作ができない構造とすることが望ましい。
【００４３】
旋回部組立体１０と集塵部組立体１１とは、図９に示すように旋回部組立体１０側に設けられた掛かり部５０が集塵部組立体１１側に設けられた受け部５７に、集塵部組立体１１側に設けられた係止手段５１が旋回部組立体１０側に設けられた受け部５８にそれぞれ掛かることによって係止されている。旋回部組立体１０と集塵部組立体１１の係止箇所全周には図６に示すようにパッキン２６が設けられていて密閉されて係止されている。
【００４４】
係止手段５１は回動軸５３で回動自在に軸止されており、解除ボタン５２が一体的に設けられている。解除ボタン５２は、係止手段５１が旋回部組立体１０側に設けられた受け部５８へ掛かる方向へ、付勢手段５４により付勢されている。
【００４５】
前述の係止状態から、解除ボタン５２を付勢手段５４の付勢力に抗してＹの方向へ操作すると、回動軸５３を中心に係止手段５１が回動し、係止手段５１は係止が解除される方向へ移動する。旋回部組立体１０側に設けられた掛かり部５０と集塵部組立体１１側に設けられた受け部５７との係止状態には、機械的な解除手段はなく、係止手段５１が解除されると旋回部組立体１０と集塵部組立体１１の係止は解除される。
【００４６】
なお、本実施の形態では旋回部組立体１０と集塵部組立体１１との係止手段は１つの係止手段の構成で説明しているが、当然ながら風路部組立体９と旋回部組立体１０との係止のように、複数の係止手段を採用してもよく、１つの係止手段で複数の係止手段を解除できるように構成するが可能である。
【００４７】
前述の通り、第１の係止手段４０と係止手段５１は直接的な操作が可能であるが、図４に示すように本体１に集塵器８が取付けられた状態では、ともに本体１の集塵器８取付け面側の凹部に、集塵器８に覆われる状態で収容され操作ができないようになっている。これにより、取付け状態で本体移動時に不用意に集塵器８が分解されることがなく、安全が確保されている。
【００４８】
以上のように本発明の実施の形態においては、複数の係止手段を採用することで安全性、耐久性を向上させながら、１つの係止手段を操作することで複数の係止手段が解除できるようにしたので、集塵器の取り外しの分解作業が容易であるという効果を奏する。
また、本体移動中に誤って集塵器を分解してしまうことがないので、本体移動中の安全性を向上することができるという効果を奏する。
【００４９】
なお、以上の実施の形態において各要素の個数、数量、量、範囲等の数に言及した場合、特に明示した場合や原理的に明らかにその数に特定される場合を除いて、その言及した数に、この発明が限定されるものではない。また、この実施の形態において説明する構造等は、特に明示した場合や明らかに原理的にそれに特定される場合を除いて、この発明に必ずしも必須のものではない。
【符号の説明】
【００５０】
１  本体、２  上ケース、３  下ケース、４  ホース体接続部、５  吸気管、６  ホース体、６ａ  挿入部、６ｂ  軟質管部、６ｃ  把持部、６ｄ  操作部、６ｅ  硬質管部、６ｆ  吸込具、７  ホース体接続口、８  集塵器、９  風路部組立体、１０  旋回部組立体、１１  集塵部組立体、１２  ハンドル、１３  流入口、１４  流出口、１５  吸引口、１６  空気排出部、１７  空気吸引部、１８  排気管、１９  排気口、２０  電動送風機収納室、２１  電動送風機、２２  制御基板、２３  集塵部組立体用取っ手、２４  メッシュ部材、２５  パッキン、２６  パッキン、２７  風路部外側部品、２８  風路部内側部品、２８ａ  曲がり部、２９  レバー、３０  本体係止手段、３０ａ  本体係止手段回動軸、３１  第１旋回室、３２  第１旋回室開口、３３  第１集塵室ａ、３４  第１集塵室ｂ、３５  連結風路、３６  第２旋回室、３７  第２集塵室、４０  第１の係止手段、４１  第２の係止手段、４２  操作部、４３  掛かり部、４４  回動軸、４５  作用部、４６  連結部材、４７  付勢手段、４８  掛かり部、４９  付勢手段、５０  掛かり部、５１  係止手段、５２  解除ボタン、５３  回動軸、５４  付勢手段、５５  縁部、５６  縁部、５７  受け部、５８  受け部、６０  ハンドルカバー、６１  凹部、１００  電気掃除機、Ｘ  連結部材４６の移動方向、Ｙ  解除ボタン５２の移動方向。
【図１】
2012157348.tif 000003
【図２】
2012157348.tif 000004
【図３】
2012157348.tif 000005
【図４】
2012157348.tif 000006
【図５】
2012157348.tif 000007
【図６】
2012157348.tif 000008
【図７】
2012157348.tif 000009
【図８】
2012157348.tif 000010
【図９】
2012157348.tif 000011
【図１０】
2012157348.tif 000012
【国際調査報告】
2012157348.tif 000013
2012157348.tif 000014
2012157348.tif 000015
2012157348.tif 000016